(57)【要約】【課題】ディスプレイの正面側及び背面側の両方向より奥行き方向に広がりをもって視認することができる装飾具を提供する。【解決手段】少なくとも三枚以上の透明板状部材１が重ね合わされた積層透明ディスプレイ１１と、透明板状部材の間にそれぞれ設けられた接合部材３と、透明板状部材の間にそれぞれ配される複数の被挟持装飾部材２とから装飾具１０を構成する。接合部材は、任意の二枚の透明板状部材同士の重ね合わせ又はその解除を他の透明板状部材とは独立して可能とするものであって、たとえば、互いに磁着する一対のマグネットや、互いに嵌合する凹凸部材とすることができる。ゆえに、透明板状部材同士が互いに固着されることがなく、また、全ての透明板状部材がまとまって固定されることがなく、任意の透明板状部材の間に所望の被挟持装飾部材を配したり、該被挟持装飾部材を任意に変更したりすることができる。【選択図】図１
2016016593.tif 000002
【特許請求の範囲】
【請求項１】
少なくとも三枚以上の透明板状部材が重ね合わされた積層透明ディスプレイと、
前記積層透明ディスプレイにおける透明板状部材の間にそれぞれ配される複数の被挟持装飾部材と、
前記積層透明ディスプレイにおける透明板状部材の間にそれぞれ設けられ、任意の二枚の透明板状部材同士の重ね合わせ又はその解除を他の透明板状部材とは独立して可能とする接合部材と、
から構成され、
前記被挟持装飾部材が前記積層透明ディスプレイ中に奥行き方向に広がりをもって配されていることを特徴とする装飾具。
【請求項２】
前記積層透明ディスプレイは、自立可能な厚みを有していることを特徴とする請求項１に記載の装飾具。
【請求項３】
前記被挟持装飾部材は、薄厚シート材により形成された、前記透明板状部材より小さく任意形状をしたものであることを特徴とする請求項１又は２に記載の装飾具。
【請求項４】
前記積層透明ディスプレイの底面側に対向して配される被載置装飾部材をさらに備えることを特徴とする請求項１乃至３の何れか１項に記載の装飾具。
【請求項５】
前記積層透明ディスプレイの底面側に、複数の前記透明板状部材を束ねるように保持する凹部を備えたトレイ状保持部材をさらに備えることを特徴とする請求項１乃至４の何れか１項に記載の装飾具。
【請求項６】
前記被挟持装飾部材は、蓄光機能を有することを特徴とする請求項１乃至５の何れか１項に記載の装飾具。
【請求項７】
前記透明板状部材は、複数枚重ね合わさせたときでも透視性を失わない程度に着色されていることを特徴とする請求項１乃至６の何れか１項に記載の装飾具。
【請求項８】
前記接合部材は、重ね合わさる前記透明板状部材同士を離間して隙間を形成するスペーサ機能を備えることを特徴とする請求項１乃至７の何れか１項に記載の装飾具。
【請求項９】
前記隙間内に、可動装飾部材をさらに配したことを特徴とする請求項８に記載の装飾具。
【請求項１０】
前記隙間内に、発光装飾部材をさらに配したことを特徴とする請求項８に記載の装飾具。
【発明の詳細な説明】
【技術分野】
【０００１】
本発明は、透明板状部材を用いた装飾具に係り、詳しくは、奥行き方向に広がりが感じられる立体的効果を奏する装飾具に関する。
【背景技術】
【０００２】
従来、透明板状部材を用いた装飾具としては、単にガラスの表面あるいは裏面又は両面にデザインがプリントされている板状の装飾ディスプレイガラスが知られている。
また、ガラスの表面に所望の形状に模ったシート状部材を貼り合わせたり、二枚のガラスの間に所望の模様等が施された紙や布等を挟み込んだりしたものも知られている。
【０００３】
ところが、上述したような従来ある装飾具は、透明板状部材を単体で又は２枚対で用いるものであることから、平面的な視覚的効果しか感じられず、装飾具としては面白みに欠けるものであった。
【０００４】
そこで、立体的な視覚的効果が感じられるようにしたものとして、単体の平面絵図に対し関連性を有した複数枚の透明薄板による平面部分絵図を、間隔部材を介し適宜間隔開け組付け部材によって積層組付けを行うことにより、立体模様絵図として表現形成させた積層立体絵図が提案されている（特許文献１参照）。
また、第１の絵・文字・模様等の画像をブリントした第１のシートが、第１のガラス板と第２のガラス板との間に光硬化型透明接着剤を介して挟装してなり、さらに第２の絵・文字・模様等の画像をブリントした第２のシートが、第２のガラス板と第３のガラス板との間に光硬化型透明接着剤を介して挟装され、以下同様にして順次複層されてなる装飾ディスプレイ装置も提案されている（特許文献２参照）。
【０００５】
しかしながら、前者の積層立体絵図の場合、複数枚の透明薄板が組付け部材によって一体的に積層されたものとなっているため、任意の透明薄板の間に、他の透明薄板との積層状態を解除せずに他の装飾部材を追加して配したり、該装飾部材を任意に変更したりすることができない。
一方、後者の装飾ディスプレイ装置の場合、複層されたガラス板同士が光硬化型透明接着剤によって貼り合わされて一体となっているため、根本的に後から他の装飾部材を追加して配したり、該装飾部材を任意に変更したりすることは一切できない。
さらに、両者の場合、ディスプレイの正面側及び背面側の両方向より奥行き方向に広がりをもって視認することができないと共に、板状部材間に挟まれる装飾部材とは異なる他の装飾部材を後から組み合わせることもできないものである。
【先行技術文献】
【特許文献】
【０００６】
【特許文献１】実用新案登録第３１１７８９５号公報
【特許文献２】特開平１１−２４０３００号公報
【発明の概要】
【発明が解決しようとする課題】
【０００７】
本発明は、上記事情に鑑みて成されたものであり、ディスプレイの正面側及び背面側の両方向より奥行き方向に広がりをもって視認することができると共に、板状部材間に挟まれた装飾部材に他の装飾部材を追加して配したり、該装飾部材を任意に変更したりすることが容易にできる装飾具を提供することを目的とする。
また、本発明は、板状部材間に挟まれる装飾部材とは異なる他の装飾部材を後から組み合わせて装飾的効果を一層高めるようにした装飾具を提供することを他の目的とする。
【課題を解決するための手段】
【０００８】
上記の目的を達成するため、本発明の装飾具は、少なくとも三枚以上の透明板状部材が重ね合わされた積層透明ディスプレイと、前記積層透明ディスプレイにおける透明板状部材の間にそれぞれ配される複数の被挟持装飾部材と、前記積層透明ディスプレイにおける透明板状部材の間にそれぞれ設けられ、任意の二枚の透明板状部材同士の重ね合わせ又はその解除を他の透明板状部材とは独立して可能とする接合部材と、から構成され、前記被挟持装飾部材が前記積層透明ディスプレイ中に奥行き方向に広がりをもって配されていることを特徴とする。
【０００９】
また、本発明の装飾具は、前記装飾具において、前記積層透明ディスプレイは、自立可能な厚みを有していることを特徴とする。
【００１０】
また、本発明の装飾具は、前記各装飾具において、前記挟持装飾部材は、薄厚シート材により形成された、前記透明板状部材より小さく任意形状をしたものであることを特徴とする。
【００１１】
また、本発明の装飾具は、前記各装飾具において、前記積層透明ディスプレイの底面側に対向して配される被載置装飾部材をさらに備えることを特徴とする。
【００１２】
また、本発明の装飾具は、前記各装飾具において、前記積層透明ディスプレイの底面側に、複数の前記透明板状部材を束ねるように保持する凹部を備えたトレイ状保持部材をさらに備えることを特徴とする。
【００１３】
また、本発明の装飾具は、前記各装飾具において、前記被挟持装飾部材は、蓄光機能を有することを特徴とする。
【００１４】
また、本発明の装飾具は、前記各装飾具において、前記透明板状部材は、複数枚重ね合わさせたときでも透視性を失わない程度に着色されていることを特徴とする。
【００１５】
また、本発明の装飾具は、前記各装飾具において、前記接合部材は、重ね合わさる前記透明板状部材同士を離間して隙間を形成するスペーサ機能を備えることを特徴とする。
【００１６】
さらに、本発明の装飾具は、前記スペーサ機能を備える接合部材を用いた装飾具において、前記隙間内に、可動装飾部材や発光装飾部材をさらに配したことを特徴とする。
【発明の効果】
【００１７】
本発明の装飾具は、少なくとも三枚以上の透明板状部材が重ね合わされた積層透明ディスプレイにおける各透明板状部材の間に複数の被挟持装飾部材が重層的に配されているので、こられの被挟持装飾部材によって形成された絵図を奥行き方向に広がりをもって立体的に視認することができる。
【００１８】
また、積層透明ディスプレイは、透明板状部材だけを重ね合わせたものであるので、その正面側及び背面側の両方向よりそれぞれ反対側を視認することができ、重層状態が逆となった互いに異なる態様の絵図を奥行き方向に広がりをもって立体的に視認することができる。
【００１９】
しかも、積層透明ディスプレイにおける透明板状部材の間に、他の透明板状部材とは独立して自由自在に、重ね合わせた状態の維持やその解除（すなわち、引き剥がし）を可能とする接合部材を備えるので、透明板状部材同士が互いに固着されることや、全ての透明板状部材がまとまって固定されることがなく、複数の透明板状部材における任意の透明板状部材の間に他の被挟持装飾部材を追加して配したり、該被挟持装飾部材を任意に変更したりすることが容易に行えるものとなる。
【図面の簡単な説明】
【００２０】
【図１】本発明に係る装飾具を示す正面斜視図である。
【図２】図１に示す装飾具の透明板状部材上に配される絵図の作成方法の一例を説明する概略図である。
【図３】図１に示す装飾具の透明板状部材間に配される被挟持装飾部材を示す図であり、（Ａ）は正面側に位置する透明板状部材間に施された絵図の一例を示す正面図、（Ｂ）は次に位置する透明板状部材間に施された絵図の一例を示す正面図、（Ｃ）は背面側に位置する透明板状部材間に施された絵図の一例を示す正面図である。
【図４】図１に示す装飾具の右側面図である。
【図５】図１に示す装飾具において、（Ａ）は正面より見た状態の図、（Ｂ）背面より見た状態の図である。
【図６】図１に示す装飾具の底面側に被載置装飾部材を配置する状態を示す図である。
【図７】（Ａ）乃至（Ｄ）は、図６に示す被載置装飾部材に施される模様等の一例をそれぞれ示す図である。
【図８】図６に示す装飾具において、（Ａ）は左側面より見た状態の図、（Ｂ）右側面より見た状態の図、（Ｃ）上面より見た状態の図である。
【図９】図１に示す装飾具の底面側に配置されるトレイ状保持部材の一例を示す斜視図である。
【図１０】図９に示すトレイ状保持部材を装飾具の底面側に配置した状態を示す断面図である。
【図１１】図１に示す装飾具の透明板状部材間に配される接合部材であって、透明板状部材同士を離間して組み合わせる接合部材の一例を示す斜視図である。
【図１２】図１１に示す接合部材の使用方法を説明する図であって、（Ａ）は透明板状部材同士を組み合わせる状態を示す概略側面図であり、（Ｂ）は組み合わせ後の隙間を有する装飾具を示す概略側面図である。
【図１３】図１２（Ｂ）に示す装飾具に形成された透明板状部材間の隙間に可動装飾部材を配置した状態を示す図である。
【図１４】図１２（Ｂ）に示す装飾具に形成された透明板状部材間の隙間に発光装飾部材を配置した状態を示す図である。
【発明を実施するための形態】
【００２１】
以下、本発明における実施の形態の一例について、図面を参照して説明する。
なお、以下に述べる実施の形態は、本発明の好適な具体例であるため技術的に種々の限定が付されているが、本発明の範囲は、以下の説明において特に限定する旨の記載がない限り、これらの形態に限られるものではない。
【００２２】
＜第１の実施の形態＞
図１に示すように、本実施の形態における装飾具１０は、積層透明ディスプレイ１１と、被挟持装飾部材２と、接合部材３とから構成され、被挟持装飾部材３が、積層透明ディスプレイ１１中に奥行き方向に広がりをもって配されたものとなっている。
【００２３】
積層透明ディスプレイ１１は、少なくとも三枚以上の透明板状部材１・・１が重ね合わさることにより構成される。すなわち、これによって透明板状部材１同士の接合面が複数重層的に生成され、後述するようにこの接合面の間に被挟持装飾部材２がそれぞれ配されるものとなる。
【００２４】
この透明板状部材１は、複数枚重ね合わせたときに奥行き方向の先にあるものが透けて見えるものであれば特に無色である必要はなく、視覚的に透視性を失わない程度に着色されたものとしても良い。
このように透明板状部材が透視性を失わない程度に着色されたものであると、積層透明ディスプレイ全体又は一部に色彩を施すことができ、被載置装飾部材からもたらされる装飾的効果を一層高め得ることができる。
【００２５】
また、透明板状部材１の材料も特に限定されるものではなく、たとえば、一般的に入手し易いガラスやアクリル樹脂などにより成形されたもので良い。本実施の形態においては、重さや破損等の扱い易さやを考慮すると、軽くて丈夫なアクリル樹脂製の透明板状部材とするのが望ましい。
【００２６】
さらに、透明板状部材１の大きさも特に限定されるものではなく、用途に適合した高さ・幅・厚みを有するもので良い。ただし、厚みに関しては、透明板状部材１を複数枚重ね合わせた積層透明ディスプレイ１１としたときに、奥行き方向への立体感を醸し出すのに十分であり、高さや幅にかかわらず安定的に自立可能とする適度な厚みを有することが望ましい。
【００２７】
このように積層透明ディスプレイ１１が自立可能な厚みを有していると、積層透明ディスプレイ１１の正面側及び背面側において視覚を遮るような自立を補助する部材を用いる必要がない。ゆえに、最大限に広い視覚領域を確保した状態で、互いに対向する二方向（すなわち、正面側と背面側）から異なる形態の装飾を奥行き方向に広がりをもって視認することができるものとなる。
【００２８】
図１において積層透明ディスプレイ１１は、矩形にカットされた透明板状部材１が四つ重ね合わされたものとして示されている。また、この積層透明ディスプレイ１１は、たとえば、１辺の長さ（すなわち、高さと幅）をそれぞれ１００ｍｍ程度とした場合、厚みが１０ｍｍ程度である透明板状部材１によって、安定して自立可能なものとして示されている。なお、透明板状部材１の形状は図示された矩形に限定されることなく、任意形状とすることができる。
【００２９】
被挟持装飾部材２は、積層透明ディスプレイ１１を構成する透明板状部材１同士の接合面の間にそれぞれ配されている。すなわち、被挟持装飾部材２は複数準備され、任意の透明板状部材１同士の間に配することができるものとなっている。
【００３０】
この被挟持装飾部材２は、薄厚シート材により形成された、透明板状部材１より小さく任意形状をしたものとすることができる。ここで、薄厚シート材とは、紙や樹脂フィルム、布等をいう。
また、被挟持装飾部材２は、互いに異なる形状・模様・色彩を呈する複数の態様のものによって構成されていても良いし、同じ形状・模様を呈するが大きさを変えた複数の態様のもの、もしくはこれらを混合した複数の態様のものによって構成されていても良い。
【００３１】
このように被挟持装飾部材２が薄厚シート材により形成されたものであると、透明板状部材１同士の間に挟持し易いものとなると共に、透明板状部材１と被挟持装飾部材２との間の空気を排除した吸引力や、透明板状部材１と被挟持装飾部材２との間に生じる静電気を利用して、透明板状部材１の一面に被挟持装飾部材２を容易に貼着し易ものとすることができる。
【００３２】
しかも、貼着された被挟持装飾部材２は、透明板状部材１の一面から容易にズレ落ちてしまうおそれも少なく、透明板状部材１の表面上の所望の位置に配することができる。ゆえに、透明板状部材１の少なくとも一面側、すなわち、被挟持装飾部材２を配する一面側は、できるだけ平滑であることが望ましい。
【００３３】
また、被挟持装飾部材２が薄厚シート材であると、積層透明ディスプレイ１１の周縁部から被挟持装飾部材２の一部がはみ出てしまった場合、被挟持装飾部材２を指等で押し込むことで、透明板状部材１の表面に引っ付いた状態で面方向に滑るように移動して容易に挟持状態の修正を行うこともできる。
【００３４】
また、被挟持装飾部材２は、透明板状部材１より小さく任意形状をしたものとすることで、透明板状部材１上に多数の被挟持装飾部材２・・２を配することができ、複雑な望ましい絵図を形成することができる。このとき、奥行き方向の手前に位置する二つの透明板状部材１，１の間に配された被挟持装飾部材２と、同背面側に位置する二つの透明板状部材１，１の間に配された被挟持装飾部材２とが部分的に重なった状態であったとしても、透明板状部材１は適度な厚みを有しているので、この厚み分の奥行きによって少し斜めの位置から重なった状態の二つの被挟持装飾部材２を同時に視認することができる。
【００３５】
ここで、被挟持装飾部材２が透明板状部材１上に配されることで形成される絵図の作成方法としては、たとえば、図２に示すことができる。
図２において、ソテツやシダなどの植物や、恐竜を模った複数の被挟持装飾部材２・・２が、点線矢印にしたがって透明板状部材１上の所望の位置へ配される状態が示されている。また、被挟持装飾部材２は、透明板状部材１において接合部材３が設けられている一面側に配される。
【００３６】
また、図１示す装飾具１０の透明板状部材１・・１間に配された複数の被挟持装飾部材２・・２による絵図は、たとえば、図３に示すように、被挟持装飾部材２がそれぞれ配された三つの透明板状部材１Ａ，１Ｂ，１Ｃを重ね合わせることで作成することができる。
図３において（Ａ）は、複数の第一挟持面用被挟持装飾部材２Ａ・・２Ａを配した第一の装飾用透明板状部材１Ａを示すものであり、第一挟持面用被挟持装飾部材２Ａは何れも、正面側接合部材３ＡＦが設けられた第一の装飾用透明板状部材１Ａの一面側に配されたものとなっている。また、（Ｂ）は、複数の第二挟持面用被挟持装飾部材２Ｂ・・２Ｂを配した第二の装飾用透明板状部材１Ｂを示すものであり、第二挟持面用被挟持装飾部材２Ｂは何れも、正面側接合部材３ＢＦが設けられた第二の装飾用透明板状部材１Ｂの一面側に配されたものとなっている。また、（Ｃ）は複数の第三挟持面用被挟持装飾部材２Ｃ・・２Ｃを配した第三の装飾用透明板状部材１Ｃを示すものであり、第三挟持面用被挟持装飾部材２Ｃは何れも、正面側接合部材３ＣＦが設けられた第三の装飾用透明板状部材１Ｃの一面側に配されたものとなっている。
【００３７】
また、本発明において被挟持装飾部材２は、蓄光機能を有するものとしても良い。
この蓄光機能とは、太陽光や蛍光灯など光のエネルギーを吸収し、その蓄えたエネルギーを可視光線に変換して暗所で発光することをいう。このような蓄光機能を有する被挟持装飾部材２は、たとえば、予め蓄光シート部材を用いて被挟持装飾部材２を形成するものとしても良いし、紙や樹脂フィルム等からなる被挟持装飾部材２の表面に蓄光塗料を塗布することにより形成するものとしても良い。
【００３８】
このような蓄光機能を有する被挟持装飾部材２を用いて形成する絵図としては、たとえば、夜空の星座や花火等を挙げることができる。ゆえに、夜間消灯後において、被挟持装飾部材２からもたらされる装飾的効果を変化させながら持続して楽しむものとすることができる。
【００３９】
接合部材３は、積層透明ディスプレイ１１における二つの透明板状部材１，１同士が重なり合ったときの両方の面にそれぞれ設けられ、任意の二枚の透明板状部材１，１同士が重なり合った状態を維持する接合又はその解除（すなわち、引き剥がし）を、他の透明板状部材１とは独立して自由自在に行うことを可能とする。すなわち、接合部材３は、重なり合い状態の解除を望む二つの透明板状部材１，１以外の他の透明板状部材１との重なり合い状態の解除を行うことなく、所望の透明板状部材１，１同士の接合の解除をなし得ることができるものをいう。
【００４０】
このような接合部材３としては、たとえば、互いに磁着する一対のマグネットや、互いに嵌合する凹凸部材を挙げることができる。また、凹凸部材としては、具体的に、一方の透明板状部材の接合面に設けられた凹状溝と、他方の透明板状部材の接合面に設けられた凸状突起からなり、互いに嵌合するものを挙げることができる。
ゆえに、透明板状部材１には、接合部材３を配するための凹部が事前に形成されたものとなっている。
【００４１】
図１乃至３において、接合部材３は透明板状部材１における左右両縁部側の中央部分にそれぞれ設けられたものとして示されている。この接合部材３の取付位置は特に限定されるものではなく、図示した位置の他に、透明板状部材１の各角部付近にそれぞれ設けたり、透明板状部材１の周縁部に沿って複数設けたりしても良い。
【００４２】
この接合部材３を用いて複数の透明板状部材１・・１を接合した状態は、たとえば、図４に示すことができる。
図４において、第一の装飾用透明板状部材１Ａの背面側に第二の装飾用透明板状部材１Ｂが重ね合わされ、第二の装飾用透明板状部材１Ｂの背面側に第三の装飾用透明板状部材１Ｃが重ね合わされ、第一の装飾用透明板状部材１Ａの正面側に被覆用透明板状部材１Ｄが重ね合わされることで、積層透明ディスプレイ１１が構成された状態が示されている。
【００４３】
また、第一の装飾用透明板状部材１Ａと被覆用透明板状部材１Ｄの間には複数の第一挟持面用被挟持装飾部材２Ａ・・２Ａが配されており、両者は、第一の装飾用透明板状部材１Ａの正面側接合部材３ＡＦと被覆用透明板状部材１Ｄの背面側接合部材３ＤＢとが接合して重ね合わせ状態が維持されているものとして示されている。また、第一の装飾用透明板状部材１Ａと第二の装飾用透明板状部材１Ｂの間には複数の第二挟持面用被挟持装飾部材２Ｂ・・２Ｂが配されており、両者は、第一の装飾用透明板状部材１Ａの背面側接合部材３ＡＢと第二の装飾用透明板状部材１Ｂの正面側接合部材３ＢＦとが接合して重ね合わせ状態が維持されているものとして示されている。さらに、第二の装飾用透明板状部材１Ｂと第三の装飾用透明板状部材１Ｃの間には複数の第三挟持面用被挟持装飾部材２Ｃ・・２Ｃが配されており、両者は、第二の装飾用透明板状部材１Ｂの背面側接合部材３ＢＢと第三の装飾用透明板状部材１Ｃの正面側接合部材３ＣＦとが接合して重ね合わせ状態が維持されているものとして示されている。
【００４４】
このように被覆用透明板状部材１Ｄと第一の装飾用透明板状部材１Ａと第二の装飾用透明板状部材１Ｂと第三の装飾用透明板状部材１Ｃとを順に重ね合わせたときの絵図は、図５に示すことができる。
図５において（Ａ）は、図４において符号Ｆの矢印で示した正面側より装飾具１０を見た状態を示し、（Ｂ）は、図４において符号Ｂの矢印で示した背面側より装飾具１０を見た状態を示している。
【００４５】
このように本発明の装飾具１０は、積層透明ディスプレイ１１の正面側及び背面側の両方向より奥行き方向に広がりをもって被挟持装飾部材２によって形成された互いに異なる態様の絵図をそれぞれ視認することができる。
しかも、積層透明ディスプレイ１１において所望の二つの透明板状部材１，１同士の接合の維持やその解除が、他の透明板状部材１に関係なく容易に行えるので、任意の透明板状部材１，１の間にさらに他の被挟持装飾部材２を追加して配したり、該被挟持装飾部材２を他の被挟持装飾部材２に変更したりすることが容易に行えるものとなる。
【００４６】
この被挟持装飾部材２の追加・変更等について、図４に基づいて具体的に説明すると、たとえば、一挟持面用被挟持装飾部材２Ａによって形成された絵図を変更等したい場合、第一の装飾用透明板状部材１Ａの正面側接合部材３ＡＦと被覆用透明板状部材１Ｄの背面側接合部材３ＤＢとの接合だけを解除すれば、第一の装飾用透明板状部材１Ａの背面側接合部材３ＡＢと第二の装飾用透明板状部材１Ｂの正面側接合部材３ＢＦとの接合の解除や、第二の装飾用透明板状部材１Ｂの背面側接合部材３ＢＢと第三の装飾用透明板状部材１Ｃの正面側接合部材３ＣＦとの接合の解除を行う必要なく、容易に被挟持装飾部材２（２Ａ）の追加・変更等を行うことができる。
【００４７】
なお、上述した実施の形態では、何れも例示的に、矩形にカットされた透明板状部材１が四つ重ね合わされた積層透明ディスプレイ１１の間に、ソテツやシダなどの植物や、恐竜を模った複数の被挟持装飾部材２・・２を配したものとして説明しているが、本発明の装飾具１０はこれに限定されず、矩形にカットされた透明板状部材が五つ以上重ね合わされた積層透明ディスプレイや、円形や多角形、ハート形等の任意形状にカットされた透明板状部材が少なくとも三つ以上重ね合わされた積層透明ディスプレイとしても良い。また、被挟持装飾部材においても、魚や海藻、船を模った複数の被挟持装飾部材や、大型の草食動物やバオバブの木、草原を模った複数の被挟持装飾部材としても良い。
【００４８】
＜第２の実施の形態＞
また、本発明の装飾具１０は、さらに装飾効果を高めるようにすることもできる。すなわち、上述した第１の実施の形態とは、透明板状部材１・・１間に挟まれる被挟持装飾部材２とは異なる他の装飾部材を後から組み合わせる点で異なる。
なお、以下に述べる他の各実施の形態では、上述した第１の実施の形態と異なる部分を中心に説明する。したがって、第１の実施の形態と同様の構成部分は同じ符号を付してその説明は省略し、特に説明しない限り同じであるものとする。
【００４９】
本実施の形態の装飾具１０は、図６に示すように、積層透明ディスプレイ１１の底面側に対向して配される被載置装飾部材１２をさらに備えることで、装飾的効果を一層高めるようにしたものである。
被載置装飾部材１２は、任意の模様が付されたシート体や、メッセージ等の文字が付されたシート体をいう。
【００５０】
このような被載置装飾部材１２に施される模様等の一例は、たとえば、図７にそれぞれ示すことができる。
図７において（Ａ）は、色彩の異なる帯状線を一方向に配した縞模様を示す被載置装飾部材１２Ａである。（Ｂ）は、色彩の異なる小さな正方形を縦横多数配した市松模様（チェッカーボード柄）を示す被載置装飾部材１２Ｂである。（Ｃ）は、シダ植物の葉を多数散りばめた模様を示す被載置装飾部材１２Ｃである。（Ｄ）は、色彩の異なる太線で形成した三角形を縦横多数配した幾何学模様を示す被載置装飾部材１２Ｄである。
【００５１】
このように積層透明ディスプレイ１１の底面側に対向して被載置装飾部材１２を配すると、積層透明ディスプレイ１１の左右側面においては被載置装飾部材１２の模様やメッセージ等（以下、単に「被載置模様」という）を視認することはできないが、積層透明ディスプレイ１１の上面においては被載置模様が屈折して浮かび上がったように見えることとなる。
【００５２】
この被載置模様の視認状態については、たとえば、図８に示すことができる。図８は、図６において積層透明ディスプレイ１１の底面側に対向して配する被載置装飾部材１２を、図７（Ｄ）に示す幾何学模様の被載置装飾部材１２Ｄとしたときの状態を示すものである。
図８において（Ａ）は、図６において符号Ｌの矢印で示した左側面側より装飾具１０を見た状態を示し、（Ｂ）は、図６において符号Ｒの矢印で示した右側面側より装飾具１０を見た状態を示し、（Ｃ）は、図６において符号Ｕの矢印で示した上面側より装飾具１０を見た状態を示している。
【００５３】
図８（Ａ）及び（Ｂ）に示すように、積層透明ディスプレイ１１の左側面側又は右側面側からは、単に、透明板状部材１同士の接合境界線部が見栄えの悪いものとして視認されるに過ぎないが、図８（Ｃ）に示すように、積層透明ディスプレイ１１の上面側からは、被載置模様として被載置装飾部材１２Ｄが浮かび上がったように視認され、見栄えの悪い透明板状部材１同士の接合境界線部が被載置模様によって緩和され、より見栄えの良い外観を呈する装飾具１０とすることができる。
また、浮かび上がったように見える被載置模様は、積層透明ディスプレイ１１の上面を見る位置（角度）によって万華鏡のように変化することとなるので、一層見栄え良い装飾具１０とすることができる。
【００５４】
したがって、本実施の形態における装飾具１０では、透明板状部材１・・１間に挟まれた被挟持装飾部材２以外に、他の装飾部材として被載置装飾部材１２を後から組み合わせて装飾的効果を一層高めるものとすることができる。
しかも、積層透明ディスプレイ１１の上面に、実際に他の装飾部材を配するものではないので、透明板状部材１・・１同士を重ね合わせた状態の解除（すなわち、引き剥がし）に何ら支障をきたすこともない。
【００５５】
また、本発明では、積層透明ディスプレイ１１を構成する複数の透明板状部材１・・１の接合状態が容易に解除されずに維持することを補助する他の部材を備えるものとすることができる。
このような維持補助部材としては、たとえば、図９に示すように、積層透明ディスプレイ１１を載置するように底面側に配するトレイ状保持部材５とすることができる。このトレイ状保持部材５は、上面に凹部５１を備え、図１０に示すように、凹部５１によって複数の透明板状部材１・・１を束ねるように保持する。
【００５６】
図１０において、トレイ状保持部材５の上面に設けられた凹部５１内に被載置装飾部材１２が配され、さらにこの被載置装飾部材１２の上に、四つの透明板状部材１・・１から構成された積層透明ディスプレイ１１の底面側を載置した状態の装飾具１０が示されている。
【００５７】
このように積層透明ディスプレイ１１の底面側に凹部５１を備えたトレイ状保持部材５を配すると、接合部材３・・３とトレイ状保持部材５によって、重ね合わせた状態の透明板状部材１・・１が無暗に解除されるおそれを一層なくすことができる。
また、トレイ状保持部材５の凹部５１内に被載置装飾部材１２を収容することで、被載置装飾部材１２の配置が効率良く、かつ、容易に行えると共に、一層見栄え良い装飾具１０とすることができる。
【００５８】
＜第３の実施の形態＞
また、本発明では、透明板状部材１・・１の一部の接合状態を離間して行うようにすることで、さらに装飾効果を高めるようにすることもできる。すなわち、上述した第１の実施の形態とは、接合部材がスペーサ機能を備える点で異なる。
透明板状部材１・・１の接合状態の離間は、たとえば、図１１に示すようなスペーサ機能を備える接合部材（以下、「離間部材」という。）１３を用いて行うことができる。
【００５９】
離間部材１３は、重ね合わさる透明板状部材１・・１同士を離間して隙間を形成するものであり、透明板状部材１に設けられた磁石等の接合部材３に代えて用いられる。
この離間部材１３は、図１１に示すように、二つの小径部１３ａ，１３ａと、これらの小径部１３ａ，１３ａを連続して一体化するようにその間に介在する大径部１３ｂを備える。すなわち、離間部材１３は、大径部１３ｂの一面側と他面側にそれぞれ小径部１３ｂ，１３ｂが設けられた構造をし、小径部１３ａは、第１の実施の形態において接合部材３を配するために予め透明板状部材１に形成された凹部の径より小さく、大径部１３ｂは、透明板状部材１に形成された凹部の径より大きいものとなっている。
【００６０】
この離間部材１３を用いて複数の透明板状部材１・・１を接合する状態は、たとえば、図１２に示すことができる。
図１２（Ａ）において、第一の装飾用透明板状部材１Ａの背面側に形成された凹部１ＡＢａ内に、離間部材１３の一方の小径部１３ａを挿入すると共に、第二の装飾用透明板状部材１Ｂの正面側に形成された凹部１ＢＦａ内に、離間部材１３の他方の小径部１３ａを挿入する状態が示され、図１２（Ｂ）において、第一の装飾用透明板状部材１Ａと第二の装飾用透明板状部材１Ｂとが、離間部材１３を用いることで隙間３１を有して接合される状態が示されている。
【００６１】
なお、第一の装飾用透明板状部材１Ａと被覆用透明板状部材１Ｄとの接合は、第一の装飾用透明板状部材１Ａの正面側に設けられた接合部材３ＡＦと、被覆用透明板状部材１Ｄの背面側に設けられた接合部材３ＤＢとによりなされ、第二の装飾用透明板状部材１Ｂとに第三の装飾用透明板状部材１Ｃとの接合は、第二の装飾用透明板状部材１Ｂの背面側に設けられた接合部材３ＢＢと、第三の装飾用透明板状部材１Ｃの正面側に設けられた接合部材３ＣＦとによりなされている。
【００６２】
このように離間部材１３を用いて構成した装飾具２０では、第一の装飾用透明板状部材１Ａと被覆用透明板状部材１Ｄの間に複数の第一挟持面用被挟持装飾部材２Ａ・・２Ａが配され、第二の装飾用透明板状部材１Ｂと第三の装飾用透明板状部材１Ｃの間に複数の第三挟持面用被挟持装飾部材２Ｃ・・２Ｃが配されたものとなっている。
【００６３】
そして、離間部材１３を用いて構成した装飾具２０では、たとえば、図１３に示すように、形成された隙間３１内に可動装飾部材２２を配する装飾具２０Ａとしたり、または、図１４に示すように、形成された隙間３１内に発光装飾部材３２を配する装飾具２０Ｂとしたり、もしくは形成された隙間３１内に他の装飾部材を配することで、装飾的効果をより一層高め得ることができる。
【００６４】
図１３において、可動装飾部材２２は、装飾本体２２ａと連結部材２２ｂと固定部材２２ｃとから構成したものとして示されている。
装飾本体２２ａは、連結部材２２ｂの上端部に取り付けられる装飾部材であり、平面的なものに限らず立体的なものとすることができる。この装飾本体２２ａは、連結部材２２ｂを介して左右方向に搖動したり、連結部材２２ｂの先端で回転したりするものとすることができる。
【００６５】
連結部材２２ｂは、上述したとおり上端部に取り付けた装飾本体２２ａが、積層透明ディスプレイ１１の上方に位置するように保持するものであって、下端部が固定部材２２ｃに取り付けられたものとなっている。連結部材２２ｂは、たとえば、装飾本体２２ａを左右方向に搖動させる場合、天地方向を向いた起立状態から斜め方向に撓むと共に、その反動で他の斜め方向に撓むことが可能な弾性線状体とすることができる。また、連結部材２２ｂは、たとえば、装飾本体２２ａを連結部材２２ｂの先端で水平方向に回転させる場合、天地方向を向いた起立状態を保持する硬質線状体とすることができる。
【００６６】
固定部材２２ｃは、隙間３１内において連結部材２２ｂを介して装飾本体２２ａを支持するために、積層透明ディスプレイを構成する透明板状部材１の一面に着脱自在に取り付けることが可能なものであって、たとえば、圧力の差を利用して物品に吸着する吸盤とすることができる。
【００６７】
このような構成とした装飾具２０Ａは、隙間３１内において固定部材２２ｃを透明板状部材１の一面に取り付け、装飾本体２２ａを指で軽く弾いたり、装飾本体２２ａに風をあてたりすることで、装飾本体２２ａが連結部材２２ｂの撓みによって左右方向に搖動し、被挟持装飾部材２と併せて装飾的効果をより一層高めることができる。しかも、可動装飾部材２２は、隙間３１内において透明板状部材１の一面に固定部材２２ｃが取り付けられたものとなっているので、固定部材２２ｃは被挟持装飾部材２によって覆い隠されたものとなり、視覚的に見栄えの悪い違和感を覚えることもない。
【００６８】
また、発光装飾部材３２は、たとえば、発光ダイオード（ＬＥＤ）や電球等の発光装置とすることができる。本実施の形態の場合、発光装飾部材３２は、高輝度を確保した点灯が可能となるので発光ダイオードを採用することが望ましい。また、発光ダイオードの発光色は、赤、青、緑、黄、白等があり、適宜発光色を選択して使用すると良い。また、一定時間ごとに経時的に発光色（色彩）が変化する機能を備えるものであっても良い。
【００６９】
このような構成とした装飾具２０Ｂは、隙間３１内の底部に発光装飾部材３２を配して発光させることで、夜間等のうす暗い空間であっても、被挟持装飾部材２と併せて装飾的効果をより一層高めることができる。
【００７０】
さらに、本発明の装飾具は、可動装飾部材２２や発光装飾部材３２に代えて、又は可動装飾部材２２又は発光装飾部材３２と共に発音装置（図示せず）を備えたものとしても良い。この発音装置は、たとえば、メロディを鳴らすメロディＩＣや、音声を発する音声合成ＬＳＩとすることができる。
メロディＩＣは、たとえば、あらかじめ合成された所定の音楽、もしくは、あらかじめ録音された音楽を再生させるものとすることができる。一方、  音声合成ＬＳＩは、たとえば、あらかじめ合成された所定のメッセージや、あらかじめ録音されたフレーズを再生させるものとすることができる。
【００７１】
以上のように本発明の装飾具は、積層透明ディスプレイにおける各透明板状部材の間に重層的に配された被挟持装飾部材によって奥行き方向に広がりをもった立体的効果がもたらされると共に、この立体的効果を基本として、可動効果や発光効果、又は発音効果といった様々な効果を付加することができる。
【符号の説明】
【００７２】
１  透明板状部材、２  被挟持装飾部材、３  接合部材、５  トレイ状保持部材、１０  装飾具、１１  積層透明ディスプレイ、１２  被載置装飾部材、１３  離間部材（接合部材）、１５  凹部、２２  可動装飾部材、２２ａ  装飾本体、２２ｂ  連結部材（弾性線状体）、２２ｃ  固定部材（吸盤）、３１  隙間、３２  発光装飾部材（ＬＥＤ発光装置）。
【図１】
2016016593.tif 000003
【図２】
2016016593.tif 000004
【図３】
2016016593.tif 000005
【図４】
2016016593.tif 000006
【図５】
2016016593.tif 000007
【図６】
2016016593.tif 000008
【図７】
2016016593.tif 000009
【図８】
2016016593.tif 000010
【図９】
2016016593.tif 000011
【図１０】
2016016593.tif 000012
【図１１】
2016016593.tif 000013
【図１２】
2016016593.tif 000014
【図１３】
2016016593.tif 000015
【図１４】
2016016593.tif 000016